(57)【要約】      （修正有）【課題】シート状光学機能フィルムをパネル部材に貼り合せる際に、粘着剤層の露出面上に発生した粘着剤による変形をパネル部材に貼り合せる前に修復させる方法の提供。【解決手段】粘着剤層を介して支持された、ウェブ状の光学フィルム積層体１のキャリアフィルム２を、剥離体６０の頂部３１を介して折り返して巻き取り、粘着剤層を露出すると共にシート状光学機能フィルム３を頭出し状態に剥離し、先端部の検出後、露出した粘着剤による変形を、キャリアフィルムを剥離体に巻き掛けて頭出し状態のシート状光学機能フィルムと一体に巻き戻すことによって、剥離体の頂部で修復し、粘着剤層の修復後に再び、キャリアフィルムを巻き取り、修復された粘着剤層と共にシート状光学機能フィルムを剥離して先端部を貼合位置１００にまで進め、シート状光学機能フィルムと別途に搬送されるパネル部材５とを、粘着剤層を介して貼り合せて光学的表示装置６を製造する。【選択図】図１
2017167298.tif 000002
【特許請求の範囲】
【請求項１】
キャリアフィルムと、該キャリアフィルムの一方の面に形成された粘着剤層と、該粘着剤層を介して前記キャリアフィルム上に連続的に支持された複数のシート状光学機能フィルムとを含むウェブ状の光学フィルム積層体の前記キャリアフィルムから、前記粘着剤層と共に前記シート状光学機能フィルムを剥離し、貼合位置において、剥離された前記シート状光学機能フィルムをパネル部材に貼り合わせることによって光学的表示装置を製造する方法であって、
前記キャリアフィルムの他方の面を、前記貼合位置に対向する位置に配された頂部を有する剥離体の該頂部で、内側に折り返して前記キャリアフィルムを巻き取り、前記キャリアフィルムから前記粘着剤層と共に前記シート状光学機能フィルムを頭出し状態に剥離する工程と、
前記頭出し状態のシート状光学機能フィルムの先端部が、前記頂部で前記キャリアフィルムから剥離される剥離位置と前記貼合位置との間の検出位置に達したときに、前記キャリアフィルムを巻き取る動作を停止し、前記先端部を検出する工程と、
前記先端部の検出後に、前記キャリアフィルムを前記剥離体に巻き掛けて巻き戻し、前記頭出し状態のシート状光学機能フィルムを前記粘着剤層と共に後退させ、頭出し状態に剥離されて露出した前記粘着剤層の前記剥離位置に発生する前記粘着剤層の粘着剤による変形を、前記剥離体の前記頂部で修復する工程と、
前記シート状光学機能フィルムと貼り合わせるパネル部材を待機位置から前記貼合位置に搬送する工程と、
前記粘着剤層の修復後に再び、前記キャリアフィルムを巻き取り、前記キャリアフィルムから前記修復された粘着剤層と共に前記シート状光学機能フィルムを剥離し、前記先端部を前記貼合位置にまで進める工程と、
前記先端部が前記貼合位置に達したときに、前記シート状光学機能フィルムと前記パネル部材とを、貼合装置により、前記粘着剤層を介して貼り合わせる工程と、
を含む方法。
【請求項２】
前記キャリアフィルムを前記剥離体に巻き掛けて巻き戻し、前記頭出し状態のシート状光学機能フィルムを前記粘着剤層と共に後退させるときに、前記先端部が前記検出位置から前記剥離体の前記頂部より上流側にある後退位置に達するまで、前記シート状光学機能フィルムを後退させる工程を含む請求項１に記載の方法。
【請求項３】
前記キャリアフィルムを前記剥離体に巻き掛けて巻き戻すときに一定の張力で巻き戻し、巻き戻される前記キャリアフィルム上に前記頭出し状態のシート状光学機能フィルムを前記修復された粘着剤層と共に再び貼付ける工程を含む請求項１または２のいずれかに記載の方法。
【請求項４】
前記検出位置を前記貼合位置に対向する前記頂部から１０ｍｍ以上３０ｍｍ以下の位置であって前記貼合位置に達しない位置になるようにする請求項１から３のいずれかに記載の方法。
【請求項５】
前記先端部を検出した後に前記キャリアフィルムが巻き戻される距離は、前記剥離位置と前記検出位置との距離またはそれ以上の距離である請求項１から４のいずれかに記載の方法。
【請求項６】
前記シート状光学機能フィルムの厚みが４５μｍから８５μｍの範囲であり、前記粘着剤層の厚みが２０μｍから３０μｍである請求項１から５のいずれかの方法。
【発明の詳細な説明】
【技術分野】
【０００１】
本発明は、光学的表示装置を製造する方法に関する。
より具体的には、本発明は、キャリアフィルムの一方の面に粘着剤層を介して連続的に支持された複数のシート状光学機能フィルムを含むウェブ状の光学フィルム積層体のキャリアフィルムを、貼合位置に対向する位置に配された頂部を有する剥離体の該頂部で、他方の面を内側に折り返して巻き取り、キャリアフィルムから粘着剤層と共にシート状光学機能フィルムを頭出し状態に剥離し、検出位置において、頭出し状態のシート状光学機能フィルムの先端部を検出し、該先端部の検知後に、キャリアフィルムを剥離体に巻き掛けて頭出し状態のシート状光学機能フィルムと一体に巻き戻し、頭出し状態に剥離されて露出した粘着剤層の剥離位置に発生した粘着剤による変形を、剥離体の頂部で修復し、粘着剤層の修復後に再び、キャリアフィルムを巻き取り、修復された粘着剤層と共にシート状光学機能フィルムを剥離して先端部を貼合位置にまで進め、貼合位置において、該シート状光学機能フィルムと別途搬送されるパネル部材とを、貼合装置により、粘着剤層を介して貼り合せて光学的表示装置を製造する方法に関する。
【背景技術】
【０００２】
近年、光学的表示装置の製造現場において、ロール・トゥ・パネル（ＲＴＰ）方式の製造装置及び方法が採用されている。特許文献１に記載されているように、ＲＴＰ方式においては、通常、以下のようにして光学的表示装置が製造される。まず、所定幅を有するウェブ状の光学フィルム積層体が製造装置に設置されたロールから繰り出される。ウェブ状の光学フィルム積層体は、ウェブ状のキャリアフィルムと、該キャリアフィルムの一方の面に形成された粘着剤層と、該粘着剤層を介してキャリアフィルム上に支持された光学フィルムとを含んで構成されている。光学フィルムは、単層のものであっても複層のものであってもよい。繰り出されたウェブ状の光学フィルム積層体には、幅方向に連続的に切込線が入れられることにより、隣接する切込線の間にシート状光学機能フィルムが形成される。
【０００３】
キャリアフィルムに連続的に支持されたシート状光学機能フィルムは、通常、欠点の存在しない正常なものが、貼合位置の近くに配置された、具体的には頂部を有する略楔型の剥離体からなる剥離手段によって、キャリアフィルムから粘着剤層と共に剥離され、貼合位置に送られる。貼合位置に到達したシート状光学機能フィルムは、具体的には上下一対の貼合ロールを有する貼合装置によって、貼合位置に別途に搬送されるパネル部材の対応する貼合面と貼り合わされる。
【０００４】
剥離手段においては、光学フィルム積層体のキャリアフィルム側が、貼合位置に対向する頂部を有する略楔型の剥離体の該頂部に巻き掛けられる。シート状光学機能フィルムは、剥離体に巻き掛けられたキャリアフィルムを、貼合位置に向かうシート状光学機能フィルムの搬送方向とは概ね反対方向に搬送することにより、キャリアフィルムから粘着剤層と共に頭出し状態で剥離される。本明細書においては、シート状光学機能フィルムがキャリアフィルムから剥離される装置上の位置を「剥離位置」といい、剥離位置は、頂部を有する剥離体の該頂部の位置に相当する。
【０００５】
こうしたＲＴＰシステムにおいては、キャリアフィルムのシート状光学機能フィルムは、その姿勢が理想的な姿勢からずれた状態でパネル部材との貼合位置に送られる場合がある。この場合には、特許文献２に記載されているように、シート状光学機能フィルムのずれの状態に応じてパネル部材の姿勢を補正（「位置合わせ」ともいう）した後に、パネル部材とシート状光学機能フィルムとを貼り合わせる必要がある。この補正に必要なシート状光学機能フィルムの姿勢を求めるために、シート状光学機能フィルムの先端部は、例えば光学カメラなどの撮像手段によって撮影することにより検出される。先端部の検出においては、特許文献２の図５に示されるように、シート状光学機能フィルムの搬送方向前方の一部分がキャリアフィルムから剥離され、先端部が剥離位置と貼合位置との間にあるときに、先端部が検出されることが好ましい。本明細書においては、先端部を検出されるときにキャリアフィルムから剥離されたシート状光学機能フィルムを「頭出し状態に剥離されたシート状光学機能フィルム」または「頭出し状態のシート状光学機能フィルム」という。
【０００６】
こうしたＲＴＰシステムにおいてはまた、特許文献３に記載されているように、正確なアライメントのために、張力を制御しながらキャリアフィルムを後退させることができる、すなわちバックフィードできる機能を加えて、貼付位置に対向する位置に配される頂部を有する剥離体の該頂部で折り返されてキャリアフィルムから剥離された粘着剤層を含むシート状光学機能フィルムを前進させる、或いは、剥離された粘着剤層を含むシート状光学機能フィルムをバックフィードさせる必要がある。
【０００７】
そのときに、特許文献４に記載されているように、シート状光学機能フィルムの先端部が所定位置を越えるように前進させた状態から光学フィルムの先端部をバックフィードさせることによって所定位置に戻して位置付ける場合もある。また所定位置に位置付ける際には、特許文献５に記載されているように、シート状光学機能フィルムの頭出し状態の長さに誤差が生じないようにキャリアフィルムが折り返される前後の張力を同じに調整する場合もある。
【先行技術文献】
【特許文献】
【０００８】
【特許文献１】特許第４３７７９６４号公報
【特許文献２】特許第５４５８２１２号公報
【特許文献３】特許第５４２７９２９号公報
【特許文献４】特開２０１４−０６６９０９号公報
【特許文献５】特許５４５２７６１号公報
【発明の概要】
【発明が解決しようとする課題】
【０００９】
図１は、典型的なＲＴＰ方式の製造装置１０を表した概要図である。図１を用いて説明すると、シート状光学機能フィルム３の先端部３１が剥離位置３００と貼合位置１００との間における検出位置２００にあるときに先端部３１が検出される構成の製造装置１０においては、シート状光学機能フィルム３は頭出し状態に剥離され、先端部３１が検出位置２００に到達した時に、キャリアフィルム２を巻き取る動作が停止される。このときに粘着剤層４は、頭出し状態のシート状光学機能フィルム３と共に先端部３１から露出した状態でキャリアフィルム２から剥離されており、そこから後端部３２までは依然としてキャリアフィルム２に貼り合わせされた状態のままである。
【００１０】
キャリアフィルム２を巻き取る動作の停止によってシート状光学機能フィルム３の搬送が停止されたときに、停止時の剥離位置３００に対応する粘着剤層４の部分において、剥離されている粘着剤層４の露出面に粘着剤４１による筋状の変形４０が発生する。粘着剤４１による変形４０は、図２（ａ）に示されるように、シート状光学機能フィルム３の搬送方向の前方部分、具体的には、剥離体６０の頂部６１と剥離されているシート状光学機能フィルム３との接点の剥離位置３００において、先端部３１に沿って幅方向に延びるように形成される。図２（ｂ）には、粘着剤層４に発生した粘着剤４１による変形４０の一部を顕微鏡で観察した結果も示している。このような変形４０が発生した粘着剤層４を有するシート状光学機能フィルム３をパネル部材５に貼り合わせると、変形した粘着剤層４によるシート状光学機能フィルム３の変形４０や、パネル部材５と粘着剤層４との間における気泡の閉じ込めが発生して光学的表示装置６の画像欠陥の原因となる場合がある。
【００１１】
図３（ａ）および（ｂ）に示される光学フィルム積層体１は、通常、光学フィルム部分３’に粘着剤層４を介してキャリフィルム２が貼り付けられた積層体である。光学フィルム部分３’の反対面に別の粘着剤層を介して表面保護フィルムが積層される。この部分は光学的表示装置６の製造過程おける光学フィルム部分３’を保護するためのものあり、光学的表示装置６の製造工程中は、シート状光学機能フィルム３に貼り付けられるフィルムである。本明細書でいうシート状光学機能フィルム３は、粘着剤層４を含むパネル部材５の大きさに粘着剤層４’を含む光学フィルム部分３’に切込みを入れたものである。
【００１２】
したがって、光学的表示装置６に貼付けられるシート状光学機能フィルム３の粘着剤層４の厚みは、２０μｍから３０μｍ程度である。これに対して、通常の厚みを有する光学フィルム積層体１のシート状光学機能フィルム３の厚みは、図３（ａ）にみるように、２５５μｍであり、粘着剤層４の厚みを加えると２８０μｍ程度になる。粘着剤層４の厚みはそれの１０分の１程度である。この程度であると、光学的表示装置６の画像上の欠陥になる程の変形４０とは認識されず、これまで問題にされる程の欠陥にはなっていない。
【００１３】
ところが光学フィルム積層体１の薄膜化が進み、図３（ｂ）にみるように、シート状光学機能フィルム３の厚みが１３５μｍ〜１７５μｍの光学フィルムが出現すると、粘着剤層４の厚みはその５分の１から７分の１程度になる。実際は、最終的に表面保護フィルムと第２粘着剤層は一体に剥離され廃棄されるので、シート状光学機能フィルムの厚みは４５μｍから８５μｍであり、これに対する第１粘着剤層の厚みは２５μｍであり、それに発生する粘着剤層４の露出面上に筋状に形成される粘着剤４１による変形４０は、光学的表示装置６の画像上の欠陥として放置し得ないものになる。
【００１４】
本発明は、シート状光学機能フィルム３をパネル部材５に貼り合せる前に、粘着剤層４上に発生した粘着剤４１による変形４０を事前に修復することにより、この問題を解決する光学的表示装置６を製造する方法の提供を課題とする。
【課題を解決するための手段】
【００１５】
この課題を解決するため、本発明は、その一態様において、キャリアフィルム２と、該キャリアフィルム２の一方の面に形成された粘着剤層４と、該粘着剤層４を介してキャリアフィルム２上に連続的に支持された複数のシート状光学機能フィルム３とを含むウェブ状の光学フィルム積層体１のキャリアフィルム２を、頂部６１を有する剥離体６０の該頂部６１を介して他方の面を内側に折り返して巻き取り、粘着剤層４を露出すると共にシート状光学機能フィルム３を頭出し状態に剥離し、キャリアフィルム２を巻き取る動作を停止し、剥離された頭出し状態のシート状光学機能フィルム３の先端部３１を検出し、該先端部３１の検出後に、頭出し状態に剥離されて露出した粘着剤層４の剥離位置３００に発生した粘着剤４１による変形４０を、キャリアフィルム２を剥離体６０に巻き掛けて頭出し状態のシート状光学機能フィルム３と一体に巻き戻すことによって、剥離体６０の頂部６１で修復し、粘着剤層４の修復後に再び、キャリアフィルム２を巻き取り、修復された粘着剤層４と共にシート状光学機能フィルム３を剥離して先端部３１を貼合位置１００にまで進め、貼合位置１００において、シート状光学機能フィルム３と別途に搬送されるパネル部材５とを、貼合装置５０により、粘着剤層４を介して貼り合せて光学的表示装置６を製造する方法を提供する。
【００１６】
こうした方法を提供する製造装置は、図１に示されるように、キャリアフィルム２とキャリアフィルム２の一方の面に形成された粘着剤層４と粘着剤層４を介してキャリアフィルム２上に連続的に支持された複数のシート状光学機能フィルム３を含むウェブ状の光学フィルム積層体１の粘着剤層４と共にシート状光学機能フィルム３をキャリアフィルム２から剥離し、貼合位置１００において、剥離されたシート状光学機能フィルム３をパネル部材５に貼り合せて光学的表示装置６を製造する製造装置１０である。
【００１７】
製造装置１０は、貼合位置１００において、シート状光学機能フィルム３を粘着剤層４によってパネル部材５の一方の面に貼り合せる貼合装置５０と、キャリアフィルム２を他方の面を内側に折り返して巻き取り、シート状光学機能フィルム３を粘着剤層４と共にキャリアフィルム２から剥がし、露出された粘着剤層４と共に剥離されたシート状光学機能フィルム３の先端部３１を貼合位置１００の方向に進めるように作用する貼合位置１００に対向する剥離位置３００に配される頂部６１を有する略楔型の剥離体６０と、頂部６１と貼合位置１００との間に剥離されたシート状光学機能フィルム３の先端部３１を検出する検出位置２００に先端部３１が達したときにキャリアフィルム２を巻き取る動作を停止し、先端部３１を読み取る検出装置７０と、頂部６１で他方の面を内側に折り返して剥離体６０に巻き掛けたキャリアフィルム２が弛むことなく巻き取りまたは巻き戻すことによってシート状光学機能フィルム３を粘着剤層４と共にキャリアフィルム２から剥離し、先端部３１を貼合位置１００に進めるように作動するか或いは頭出し状態の粘着剤層４と共にシート状光学機能フィルム３を後退位置４００まで後退させるように作動する、キャリアフィルム送り装置８０と、シート状光学機能フィルム３と貼り合されるパネル部材５を待機位置５００から貼合位置１００に搬送する、パネル部材搬送装置９０とを含む。
【００１８】
製造装置１０は、制御装置２０により、貼合装置５０、検出装置７０、キャリアフィルム送り装置８０、およびパネル部材搬送装置９０のそれぞれを関連付け、頂部６１を有する剥離体６０の頂部６１を介してキャリアフィルム２を巻き取り、露出される粘着剤層４と共にシート状光学機能フィルム３をキャリアフィルム２から剥離し、キャリアフィルム２を巻き取る動作を停止して先端部３１を検出装置７０で検出した後に、キャリアフィルム２を一旦巻き戻し、剥離されたシート状光学機能フィルム３を後退させ、露出された粘着剤層４と剥離位置３００に発生する粘着剤４１による変形４０を、頂部６１で修復し、しかる後に、キャリアフィルム２を巻き取る動作を再開する。製造装置１０はさらに、修復された粘着剤層４と共にシート状光学機能フィルム３を貼合位置１００まで進め、貼合位置１００において、パネル部材５に貼り合わせることによって光学的表示装置６を製造するように作動させる。
【００１９】
本発明の実施態様は以下の通りである。
本発明の態様は、キャリアフィルム２とキャリアフィルム２の一方の面に形成された粘着剤層４と粘着剤層４を介してキャリアフィルム２上に連続的に支持された複数のシート状光学機能フィルム３とを含むウェブ状の光学フィルム積層体１のキャリアフィルム２から、粘着剤層４と共にシート状光学機能フィルム３を剥離し、貼合位置１００において、剥離されたシート状光学機能フィルム３をパネル部材５に貼り合わせることによって光学的表示装置６を製造する方法であって、
キャリアフィルム２の他方の面を、貼合位置１００に対向する位置に配された頂部６１を有する剥離体６０の該頂部６１で、内側に折り返してキャリアフィルム２を巻き取り、キャリアフィルム２から粘着剤層４と共にシート状光学機能フィルム３を頭出し状態に剥離する工程と、頭出し状態のシート状光学機能フィルム３の先端部３１が、頂部６１でキャリアフィルム２から剥離される剥離位置３００と貼合位置との間の検出位置２００に達したときに、キャリアフィルム２を巻き取る動作を停止し、先端部３１を検出する工程と、先端部３１の検出後に、キャリアフィルム２を剥離体６０に巻き掛けて巻き戻し、頭出し状態のシート状光学機能フィルム３を粘着剤層４と共に後退させ、頭出し状態に剥離されて露出した粘着剤層４の剥離位置３００に発生する粘着剤層４の粘着剤４１による変形４０を、剥離体６０頂部６１で修復する工程と、シート状光学機能フィルム３と貼り合わせるパネル部材５を待機位置５００から貼合位置１００に搬送する工程と、粘着剤層４の修復後に再び、キャリアフィルム２を巻き取り、キャリアフィルム２から修復された粘着剤層４と共にシート状光学機能フィルム３を剥離し、先端部３１を貼合位置１００にまで進める工程と、先端部３１が貼合位置１００に達したときに、シート状光学機能フィルム３とパネル部材５とを、貼合装置５０により、粘着剤層４を介して貼り合わせる工程と、を含む方法である。
【００２０】
本発明の実施態様において、キャリアフィルム２を剥離体６０に巻き掛けて巻き戻し、頭出し状態のシート状光学機能フィルム３を粘着剤層４と共に後退させるときに、先端部３１が検出位置２００から剥離体６０の頂部６１より上流側にある後退位置４００に達するまで、シート状光学機能フィルム３を後退させるようにすることができる。さらに、キャリアフィルム２を剥離体６０に巻き掛けて巻き戻すときに一定の張力で巻き戻し、巻き戻されるキャリアフィルム２上に頭出し状態のシート状光学機能フィルム３を修復された粘着剤層４と共に再び貼付けるようにすることもできる。
【００２１】
本発明の実施態様において、さらに検出位置２００を貼合位置１００に対向する剥離体６０の頂部６１から１０ｍｍ以上３０ｍｍ以下の位置であって貼合位置１００に達しない位置にすることが好ましい。さらにまた、先端部３１を検出した後に、キャリアフィルム２が巻き戻される距離は、剥離体６０の頂部６１の位置と検出位置２００との距離またはそれ以上の距離にすることが好ましい。
【００２２】
本発明の実施態様において、シート状光学機能フィルム３の厚みが４５μｍから８５μｍの範囲であり、粘着剤層の厚みが２０μｍから３０μｍであることが好ましい。
【図面の簡単な説明】
【００２３】
【図１】光学的表示装置を製造する製造装置の概要
【図２】粘着剤層の粘着剤による変形
【図３】光学フィルム積層体の構造
【図４】動作フロー
【図５】実施例／比較例
【図６】粘着剤層の変形の原因分析図
【発明を実施するための形態】
【００２４】
［粘着剤層の粘着剤による変形の発生原因］
図４の動作フローから明らかなように、光学フィルム積層体１を製造装置１０に配備されたロールから引出す第１ステップから、搬送される光学フィルム積層体１の光学フィルム部分３’にパネル部材５の大きさに幅方向の切込を入れ、キャリアフィルム２上に複数のシート状光学機能フィルム３を形成する第２ステップに続き、剥離体６０の頂部６１でキャリフィルム２を巻き取り、キャリアフィルム２からシート状光学機能フィルム３を剥離した頭出し状態で、キャリアフィルム２の巻取動作を停止する。この巻取動作の停止によって頭出し状態のシート状光学機能フィルム３の先端部３１を検出する第３ステップに至る。先端部３１の検出は、先端位置を記憶装置（図示せず）に記憶し、記憶された情報によりパネル部材とのズレ距離を演算し、パネル部材のズレ位置を調整するステップである。ここまでのステップは、特許文献５にも記載されているＲＴＰ方式の製造装置１０で光学的表示装置６が製造されるステップである。
【００２５】
図６は、粘着剤層の変形の原因分析図である。粘着剤層の変形の原因は、図６の（ａ）（ｂ）の模式図から明らかである。位置合せのための頭出し状態をしないシート状光学機能フィルム（ｂ）には、（ｃ）表に示されるように、粘着剤層上に筋状の変形は発生しない。ところが、位置合せのための頭出し状態のシート状光学機能フィルム（ａ）は、（ｃ）表に示されるように、頭出し距離と筋状の変形の発生位置とが一致している。剥離体６０の頂部６１で剥離される剥離位置が筋状の変形の発生位置である。
【００２６】
図４のステップ５は、発生した筋状の変形を修復するステップである。シート状光学機能フィルム３が図６（ａ）の頭出し状態で先端部３１が検出された後に、フィルム搬送装置８０の第２フィードローラ８２によって頭出し状態のシート状光学機能フィルム３とキャリアフィルム２とを剥離体６０に巻き掛けて一定の距離だけ巻き戻す。このバックフィードによって剥離位置３００に発生した粘着剤による盛り上がる変形は、剥離体６０の頂部で押し戻され修復される。言うまでもなく、検出のための頭出し時間は、タクト時間との関係から僅かの時間であり、かなり早いタイミングのバックフィードによって、修復精度が高まる。次にステップ６により、フィルム搬送装置８０を再び作動させてキャリアフィルム２を巻き取り、シート状光学機能フィルム３の先端部３１を貼合位置１００にまで送り、ステップ７において、別途に搬送されるパネル部材５に貼り合わされ、光学的表示装置６が完成する。
【００２７】
［実施例及び比較例］
図５には、キャリアフィルム２を巻き取り、剥離されて頭出し状態のシート状光学機能フィルムが（ａ）に示され、キャリアフィルム２と一体に後退位置５００まで巻き戻されたシート状光学機能フィルムが（ｂ）に示されている。図５の（ｃ）は、そのようにして目視検査された実施例及び比較例である。
【００２８】
実施例１から３は、図３（ｂ）に示されたシート状光学機能フィルムの厚みが最も薄いものであり、実施例４は、同じく図３（ｂ）に示されたシート状光学機能フィルムの厚みに基づくものである。いずれも、バックライトを通して、光学表示装置６に筋状の変形４０が発生しているかどうかを目視したが、確認できなかった。
【００２９】
比較例１は、実施例１から３に用いた光学機能フィルムの厚みのもので、キャリアフィルム２と一体に剥離されて頭出し状態のシート状光学機能フィルムを巻き戻すことなく、そのまま貼合位置１００に送った製造された光学表示装置６を目視したところ、筋状の変形４０を確認した。比較例２は実施例４と同じ厚みを有するシート光学機能フィルム３に対して、同じく巻き戻すことなく貼合位置１００に送った光学表示装置を目視したものであり、これについても筋状の変形４０を確認した。
【００３０】
参考例４は、図３（ａ）の従来の厚みを有する光学フィルムを用いて、比較例と同様の目視検査を行った結果である。ここでは、シート状光学機能フィルムの厚みは２８０μｍであり、それの巻き戻し工程はない。筋状の変形４０が発生しているかどうかを目視したが、結果的には、確認できなかった。
【符号の説明】
【００３１】
１  光学フィルム積層体
２  キャリアフィルム
３  シート状光学機能フィルム
３’  切込前の光学フィルム部分
３１  シート状光学機能フィルムの先端部
３２  シート状光学機能フィルムの後端部
４  粘着剤層
４１  粘着剤
４０  粘着剤層の粘着剤による変形
５  パネル部材
６  光学的表示装置
１０  ＲＴＰ方式の製造装置
２０  制御装置
５０  貼合装置
６０  剥離体
６１  剥離体の頂部
７０  検出装置
８０  フィルム搬送装置
８１  第１フィードローラ
８２  第２フィードローラ
８３  第３フィードローラ
９０  パネル部材搬送装置
１００  貼合位置
２００  検出位置
３００  剥離位置
４００  後退位置
５００  パネル部材の待機位置
【図１】
2017167298.tif 000003
【図２】
2017167298.tif 000004
【図３】
2017167298.tif 000005
【図４】
2017167298.tif 000006
【図５】
2017167298.tif 000007
【図６】
2017167298.tif 000008